(57)【要約】【課題】機器本体に対する回動部材の回動角度に拘わらず、フレキシブルプリント基板の弛みを防止できるようにする。【解決手段】機器本体１０と、機器本体１０に対して所定の回動軸１４回りに回動する回動部材２０と、回動軸近傍で一部が露出するように機器本体と回動部材とに架け渡され、回動部材２０の回動に応じて変形する電気配線用のフレキシブルプリント基板４０と、フレキシブルプリント基板４０の露出部分４３を機器本体１０または回動部材２０内に引き込む方向に付勢し、フレキシブルプリント基板４０に張力Ｔを付与する付勢機構６０とを備える。【選択図】        図４
2004302377.tif 000002
【特許請求の範囲】
【請求項１】
機器本体と、
該機器本体に対して所定の回動軸回りに回動する回動部材と、
前記回動軸近傍で一部が露出するように前記機器本体と前記回動部材とに架け渡され、前記回動部材の回動に応じて変形する電気配線用のフレキシブルプリント基板と、
前記フレキシブルプリント基板の前記露出部分を前記機器本体または前記回動部材側に引き込む方向に付勢し、該フレキシブルプリント基板に張力を付与する付勢機構とを備えたことを特徴とするフレキシブルプリント基板を用いた電子機器。
【請求項２】
前記付勢機構は、前記フレキシブルプリント基板が掛け回される部分を有し、その掛け回し部分を介して該フレキシブルプリント基板を付勢することを特徴とする請求項１に記載のフレキシブルプリント基板を用いた電子機器。
【請求項３】
前記付勢機構は、前記フレキシブルプリント基板が掛け回され、回転によってフレキシブルプリント基板の移動を案内するローラと、該ローラを介して前記フレキシブルプリント基板を付勢するばね部材とを含むことを特徴とする請求項２に記載のフレキシブルプリント基板を用いた電子機器。
【請求項４】
前記付勢機構は、前記ローラと、前記ばね部材と、前記ばね部材を支持するとともに該ばね部材および前記ローラを隠蔽するカバーとが予め一体化されて成り、該付勢機構が前記機器本体または前記回動部材に固着されていることを特徴とする請求項３に記載のフレキシブルプリント基板を用いた電子機器。
【請求項５】
前記フレキシブルプリント基板の少なくとも前記露出部分は、その露出側の面が保護部材で覆われていることを特徴とする請求項１〜４のいずれかに記載のフレキシブルプリント基板を用いた電子機器。
【請求項６】
前記保護部材は、前記機器本体または回動部材と同色とされることを特徴とする請求項５に記載のフレキシブルプリント基板を用いた電子機器。
【請求項７】
前記機器本体はカメラ本体であり、前記回動部材は、前記カメラ本体に設けた回動軸回りに回動可能に軸支され、回動により開閉する蓋部材であることを特徴とする請求項１〜６のいずれかに記載のフレキシブルプリント基板を用いた電子機器。
【発明の詳細な説明】
【０００１】
【発明の属する技術分野】
本発明は、フレキシブルプリント基板を用いた電子機器、特に互いに回動可能な機器本体と回動部材との間にフレキシブルプリント基板を架け渡すものに関する。
【０００２】
【従来の技術】
カメラの裏蓋に操作部材や表示装置などの電気部品を設け、それらとカメラ本体側の制御回路との間で電気信号の授受を行う場合には、裏蓋と本体との間に可撓性の電気配線手段を架け渡す必要がある。この種の配線手段としてはフレキシブルプリント基板（以下、ＦＰＣ）が一般的である。
【０００３】
裏蓋はカメラ本体の一端側に設けた回動軸回りに開閉されるから、両者を接続するＦＰＣのうち裏蓋から引き出されて本体に引き込まれるまでの部分は、裏蓋開放時に外部に露出する。そして、この露出部分は裏蓋の閉動作に伴って弛み、その弛んだ部分が裏蓋と本体との間に挟み込まれると、破損・断線のおそれがある。
【０００４】
従来、カメラ本体と裏蓋とを接続するＦＰＣの一部を裏蓋の回動軸部材に掛け回すことで、ＦＰＣの露出部分を減らすとともに弛みを抑制したものがある（例えば、特許文献１参照）。
【０００５】
【特許文献１】
特開平０６−２１４２９３号公報
【０００６】
【発明が解決しようとする課題】
ところで、カメラの裏蓋は、カメラ本体に対して９０度程度開けばフィルムカートリッジの挿抜を行えるが、装填時の作業性を考慮するとより大きく（例えば、１８０度程度まで）開いた方がよい。しかし、裏蓋の最大開放角を大きくするほどＦＰＣの露出部分を大きくせざるを得ず、また弛み量も大きくなる。上記特許文献１のものは、裏蓋の回動軸を電池蓋の回動軸として兼用する構成上、裏蓋を大きく開くことは不可能と考えられ、それ故にＦＰＣを回動軸に掛け回すことで上記の不具合を解消できるが、裏蓋の最大開放角度をより大きくした場合には引用文献１の方法では対処できない。
【０００７】
本発明の目的は、機器本体に対する回動部材の回動角度に拘わらず、フレキシブルプリント基板の弛みを防止し得る電子機器を提供することにある。
【０００８】
【課題を解決するための手段】
本発明に係るフレキシブルプリント基板を用いた電子機器は、機器本体と、機器本体に対して所定の回動軸回りに回動する回動部材と、回動軸近傍で一部が露出するように機器本体と回動部材とに架け渡され、回動部材の回動に応じて変形する電気配線用のフレキシブルプリント基板と、フレキシブルプリント基板の露出部分を機器本体または回動部材側に引き込む方向に付勢し、フレキシブルプリント基板に張力を付与する付勢機構とを備える。
特に請求項２の発明は、付勢機構にフレキシブルプリント基板が掛け回される部分を設け、その掛け回し部分を介してフレキシブルプリント基板を付勢するようにしたものである。
請求項３の発明は、付勢機構が、フレキシブルプリント基板が掛け回され、回転によってフレキシブルプリント基板の移動を案内するローラと、ローラを介してフレキシブルプリント基板を付勢するばね部材とを含むものである。
請求項４の発明は、上記ローラと、ばね部材と、ばね部材を支持するとともにばね部材およびローラを隠蔽するカバーとを予め一体化して上記付勢機構を構成し、その付勢機構を機器本体または回動部材に固着したものである。
請求項５の発明は、フレキシブルプリント基板の少なくとも露出部分の露出側の面を保護部材で覆ったものである。
請求項６の発明は、保護部材を機器本体または回動部材と同色としたものである。
請求項７の発明はカメラに適用したものであり、機器本体はカメラ本体であり、回動部材は、カメラ本体に設けた回動軸回りに回動可能に軸支され、回動により開閉する蓋部材である。
【０００９】
【発明の実施の形態】
図１〜図５により本発明の一実施の形態を説明する。
図１は本発明におけるフレキシブルプリント基板を用いた電子機器の斜視図、図２，図３はその一端側を示す水平断面図である。カメラ本体１０には、一端側にカートリッジ室１１が設けられるとともに、他端側にはスプール室１２が設けられ、それらの間にアパーチャ１３が設けられる。スプール室１２側の端部には上下方向の軸部材１４が配置され、ここに裏蓋２０がヒンジ部２１を介して回動可能に軸支されている。本実施形態では、フィルムカートリッジ装填の便宜を図ってカメラ本体１０に対する裏蓋２０の最大開放角度が約１８０度となっている。図２は裏蓋２０が閉じた状態を、図３は最大回動角まで開いた状態を示し、便宜上裏蓋２０の位置は図２，図３で同一とし、本体１０側が裏蓋２０に対して回動した如く描かれている。
【００１０】
裏蓋２０の外面に設けられた操作部材３０は、例えば撮影画面上の複数の焦点検出エリアからいずれかを選択するための選択ボタンであり、その操作に応じて電気スイッチＳＷがオン・オフする。そのオン・オフ信号は、フレキシブルプリント基板（以下、ＦＰＣ）４０を介してカメラ本体１０の不図示の制御回路に入力され、制御回路は入力信号に応じて焦点検出エリアを選択する。
【００１１】
ＦＰＣ４０は、カメラ本体１０内に配置される部分（以下、本体内配置部）４１と、裏蓋２０内に配置される部分（以下、裏蓋内配置部）４２と、それらを連結する中間部分４３とから成る。裏蓋内配置部４２には、上記スイッチＳＷを構成する一方の接点が設けられ、この部分は裏蓋内に固定されている。本体内配置部４１は他のカメラ内基板に接続される。中間部分４３は回動軸部近傍に位置し、この部分は裏蓋開放時に外部に露出するため露出部と呼ぶ。
【００１２】
図４の拡大図に示すように、ＦＰＣ４０は、少なくとも露出部４３の露出側の面が保護部材５０で覆われている。保護部材５０は、可撓性のフィルム状部材にて構成され、その幅は露出部４３の幅よりもやや広く、また両端部はそれぞれカメラ本体１０内、裏蓋２０内でＦＰＣ４０に両面テープ等で固定されている。露出部４３の長さは裏蓋全開時に最も長くなるが、そのときに露出部４３全体が覆われるよう保護部材５０の長さを決める必要がある。保護部材５０を設けることにより、使用者が露出部４３に手を触れた場合の破損を防止できるとともに、ＦＰＣ内の配線パターン等を隠蔽することができ、見栄えを損ねることがない。また保護部材５０の色をカメラと同色（例えば黒色）とすれば、露出部４３を目立たなくすることができ、更なる見栄えの向上が図れる。
【００１３】
加えて本実施形態では、ＦＰＣ４０の弛みを矯正するためのＦＰＣ付勢機構６０を設けている。ＦＰＣ付勢機構６０は、図１および図５に示すように、ＦＰＣ４０が掛け回されるローラ６１と、ローラ６１を付勢するねじりばね６２とを有し、これらはカバー６３によって覆われる。ねじりばね６２はカバー６３の内面に突設されたボス６３ａに外挿され、その一端は同じくカバー内面に設けられた掛止部６３ｂに掛止され、他端（自由端）にはローラ６１が回転可能に外挿される。付勢機構６０は、カバー６３を含めて予めユニット化しておき、これを裏蓋２０内面に取り付けることで組立効率の向上が図れる。
【００１４】
図４に示すように、ＦＰＣ４０は、裏蓋２０のスリット２２から引き出され、スリット２２の一端で一度折り返され、更にローラ６１に掛け回された後、カバー６３に設けたスリット６３ｃを通過し、カメラ本体１０のスリット１５から本体１０に引き込まれる。ここで、カバー６３を裏蓋２０の一部と捕らえると、ＦＰＣ４０のうちカバー６３に隠蔽される部分（カバー内配置部）は、裏蓋内配置部４２の一部とみなせる。よって、図ではカバー内配置部を符号４２ａで示してある。ローラ６１は、ねじりばね６２の付勢力を受けてカバー内配置部４２ａをＡ方向に引張り、ＦＰＣ４０に適度な張力Ｔを付与し、これによりＦＰＣ４０は常に弛みのない状態に維持される。
【００１５】
次に、裏蓋２０の開閉動作に伴うＦＰＣ４０の動きについて説明する。
図３に示すように、裏蓋全開状態ではＦＰＣ４０の露出部４３はヒンジ部２１に巻かれた状態となっており、ＦＰＣ４０は付勢機構６０により張力Ｔが付与されている。この状態で裏蓋２０を閉じてゆくと、露出部４３のヒンジ部２１への巻き付きが解除されてゆくので露出部４３は弛もうとするが、その弛みに相当する分だけローラ６１がばね６２の付勢力によりＡ方向に移動しつつ露出部４３をカバー６３内に引き込んでゆくため、弛みが生ずることはない。またこのとき、ローラ６１が回転しつつカバー内配置部６２ａの動きをガイドするため、不要な摺動抵抗等が発生することはなく、スムーズな動きを実現できる。裏蓋２０が完全に閉じられると、ローラ６１は図２の位置に至る。この状態ではカバー６３のスリット６３ｃ（図４）と本体側スリット１５とがほぼ重なるため、図３における露出部４３は全てカバー６３内に引き込まれた状態となる。
【００１６】
このように本実施形態では、裏蓋２０を閉じる過程においてＦＰＣ４０のいかなる部分にも弛みが生じないため、本体１０と裏蓋２０とでＦＰＣ４０を挟み込んでしまうことはない。
【００１７】
次に、図２の状態で裏蓋２０を開いてゆくと、露出部４３が生じ、露出部４３がヒンジ部２１に巻かれる状態になると、その部分がＢ方向（図４）に引っ張られる。これに伴い、ローラ６１がねじりばね６２の付勢力に抗してＡ方向と逆方向に強制移動させられ、カバー内配置部６２ａが引き出されてゆき、図３の全開状態に至る。なお、ねじりばね６２の付勢力はＦＰＣ４０の弛みをとるだけの力量でよいため、裏蓋開放に大きな抵抗となることはない。
【００１８】
なお以上では、ＦＰＣの露出部を裏蓋側に引き込む方向に付勢するようにしたが、上述したような付勢機構をカメラ本体に取り付け、露出部を本体側に引き込む方向に付勢するよう構成してもよい。また付勢機構をカバーも含めて予めユニット化した例を示したが、裏蓋またはカメラ本体にばねを支持し、後からカバーをかぶせるようにしてもよい。さらにローラは必須ではなく、例えばばねの端部で直接ＦＰＣを付勢するようにしてもよいし、ローラ以外の部材を介在させてＦＰＣを付勢するようにしてもよい。また裏蓋に設けられる電気部品は操作スイッチに限定されず、例えばメニュー情報等を表示する表示装置であってもよい。この場合には、カメラ本体側の回路からＦＰＣを介して表示装置に表示信号を出力することになる。
【００１９】
以上はカメラにて説明したが、機器本体に対して回動する回動部材を有し、回動軸近傍で一部が露出するように機器本体と回動部材とにＦＰＣを架け渡すものであれば、他の電子機器にも本発明を適用できる。
【００２０】
【発明の効果】
本発明によれば、フレキシブルプリント基板の露出部分を機器本体または回動部材側に引き込む方向に付勢する付勢機構を設け、フレキシブルプリント基板に張力を付与するようにしたので、機器本体に対する回動部材の最大回動角が大きい場合でも、回動に何ら影響を与えずにフレキシブルプリント基板の弛みを防止できる。したがって、機器本体と回動部材との間にフレキシブルプリント基板を挟み込んでしまうことがなく、フレキシブルプリント基板の破損・断線を確実に防止できる。
【図面の簡単な説明】
【図１】一実施形態におけるカメラを背面方向から見た斜視図。
【図２】カメラ本体と裏蓋との回動軸近傍を示す水平断面図であり、裏蓋閉状態を示す。
【図３】図２と同様の図で、裏蓋全開状態を示す。
【図４】図３の一部分を拡大して示す図。
【図５】付勢機構を図２のＶ方向から見た図。
【符号の説明】
１０  カメラ本体
１４  回動軸
１５，２２，６３ｃ  スリット
２０  裏蓋
２１  ヒンジ部
３０  操作部材
４０  フレキシブルプリント基板（ＦＰＣ）
４１  本体内配置部
４２  裏蓋内配置部
４２ａ  カバー内配置部
４３  露出部
５０  保護部材
６０  ＦＰＣ付勢機構
６１  ローラ
６２  ねじりばね
６３  カバー
ＳＷ  スイッチ
【図１】
2004302377.tif 000003
【図２】
2004302377.tif 000004
【図３】
2004302377.tif 000005
【図４】
2004302377.tif 000006
【図５】
2004302377.tif 000007